(57)【特許請求の範囲】
【請求項１】
データ信号及び監視制御信号を光伝送する第１のネットワークと、
当該第１のネットワークに接続する第１及び第２のノードと、
当該監視制御信号を伝送可能な第２のネットワーク
とからなるデータ伝送システムであって、
当該第１のノードが、
当該第１のネットワークから入力する信号光からデータ信号と監視制御信号を分離する分離装置と、
複数の入力ポート及び複数の出力ポートを具備する信号分配器であって、当該分離装置により分離されたデータ信号を指定の出力ポートに分配する信号分配器と、
当該信号分配器を制御し、当該第１のノード内の各部を監視する制御装置と、
当該分離装置により分離された監視制御信号及び当該第２のネットワークから入力する監視制御信号の一方を選択して、当該制御装置に供給する第１のセレクタと、
当該制御装置から当該第２のノードに向けて出力される監視制御信号を、当該第１のネットワーク及び当該第２のネットワークの一方に向けて出力する第２のセレクタと、
当該第２のセレクタにより当該第１のネットワークに向けて出力された監視制御信号と、当該信号分配器から出力されるデータ信号を多重し、当該第１のネットワークに出力する多重装置
とを具備することを特徴とするデータ伝送システム。
【請求項２】
データ信号及び監視制御信号を光伝送する第１のネットワークと、
当該第１のネットワークに接続する第１及び第２のノードと、
当該第１のノードとの間でデータを送受信する第１のデータ送受信端局と、
当該第２のノードとの間でデータを送受信する第２のデータ送受信端局と、
当該監視制御信号を伝送可能な第２のネットワーク
とからなるデータ伝送システムであって、
当該第１のノードが、
当該第１のネットワークから入力する信号光からデータ信号と監視制御信号を分離する分離装置と、
第１及び第２の監視制御信号入力ポートを含む複数の入力ポート、並びに第１及び第２の監視制御信号出力ポートを含む複数の出力ポートを具備する信号分配器であって、当該分離装置により分離されたデータ信号及び監視制御信号をそれぞれ指定の出力ポートに分配する信号分配器と、
当該信号分配器を制御し、当該第１のノード内の各部を監視する制御装置と、
当該信号分配器の当該第１の監視制御信号出力ポートから出力される監視制御信号及び当該第２のネットワークから入力する監視制御信号の一方を選択して、当該制御装置に供給する第１のセレクタと、
当該制御装置から当該第２のノードに向けて出力される監視制御信号を、当該信号分配器の第１の監視制御信号入力ポート及び当該第２のネットワークの一方に向けて出力する第２のセレクタと、
当該信号分配器の当該第２の監視制御信号出力ポートから出力される監視制御信号と、当該信号分配器から出力されるデータ信号を多重し、当該第１のネットワークに出力する多重装置
とを具備し、当該信号分配器は、当該第１のネットワークの正常運用時には、当該第１の監視制御信号入力ポートを当該第２の監視制御信号出力ポートに接続し、当該第２の監視制御信号入力ポートを当該第１の監視制御信号出力ポートに接続することを特徴とするデータ伝送システム。
【請求項３】
当該第１及び第２のセレクタが互いに連動している請求項１又は２に記載のデータ伝送システム。
【請求項４】
当該第１及び第２のセレクタがそれぞれ、ＩＰルータからなる請求項１又は２に記載のデータ伝送システム。
【請求項５】
当該第１及び第２のセレクタがそれぞれ、スイッチングハブからなる請求項１又は２に記載のデータ伝送システム。
【請求項６】
当該信号分配器が光クロスコネクト装置からなる請求項１又は２に記載のデータ伝送システム。
【請求項７】
当該信号分配器が、光クロスコネクト装置と、当該光クロスコネクト装置の所定の入力ポートの入力光の有無を検査する入力検査装置と、当該光クロスコネクト装置の所定の出力ポートの出力光の有無を検査する出力検査装置とからなる請求項１又は２に記載のデータ伝送システム。
【請求項８】
更に、当該第１のノードとの間でデータを送受信するデータ送受信端局を具備し、
当該信号分配器は、当該分離装置により分離された当該データ送受信端局向けのデータ信号を当該データ送受信端局に分配し、当該データ送受信端局からのデータ信号を指定の出力ポートに分配する
請求項１に記載のデータ伝送システム。
【請求項９】
当該信号分配器は、当該分離装置により分離された当該第１のデータ送受信端局向けのデータ信号を当該第１のデータ送受信端局に分配し、当該第１のデータ送受信端局からのデータ信号を指定の出力ポートに分配する
請求項２に記載のデータ伝送システム。
【請求項１０】
データ信号及び監視制御信号を光伝送する第１のネットワークと、当該監視制御信号を伝送可能な第２のネットワークとに接続するノードであって、
当該第１のネットワークから入力する信号光からデータ信号と監視制御信号を分離する分離装置と、
複数の入力ポート及び複数の出力ポートを具備する信号分配器であって、当該分離装置により分離されたデータ信号を指定の出力ポートに分配する信号分配器と、
当該信号分配器を制御し、各部を監視する制御装置と、
当該分離装置により分離された監視制御信号及び当該第２のネットワークから入力する監視制御信号の一方を選択して、当該制御装置に供給する第１のセレクタと、
当該制御装置から他のノードに向けて出力される監視制御信号を、当該第１のネットワーク及び当該第２のネットワークの一方に向けて出力する第２のセレクタと、
当該第２のセレクタにより当該第１のネットワークに向けて出力された監視制御信号と、当該信号分配器から出力されるデータ信号を多重し、当該第１のネットワークに出力する多重装置
とを具備することを特徴とするノード。
【請求項１１】
データ信号及び監視制御信号を光伝送する第１のネットワークと、当該監視制御信号を伝送可能な第２のネットワークとに接続するノードであって、
当該第１のネットワークから入力する信号光からデータ信号と監視制御信号を分離する分離装置と、
第１及び第２の監視制御信号入力ポートを含む複数の入力ポート、並びに第１及び第２の監視制御信号出力ポートを含む複数の出力ポートを具備する信号分配器であって、当該分離装置により分離されたデータ信号及び監視制御信号をそれぞれ指定の出力ポートに分配する信号分配器と、
当該信号分配器を制御し、各部を監視する制御装置と、
当該信号分配器の当該第１の監視制御信号出力ポートから出力される監視制御信号及び当該第２のネットワークから入力する監視制御信号の一方を選択して、当該制御装置に供給する第１のセレクタと、
当該制御装置から他のノードに向けて出力される監視制御信号を、当該信号分配器の第１の監視制御信号入力ポート及び当該第２のネットワークの一方に向けて出力する第２のセレクタと、
当該信号分配器の当該第２の監視制御信号出力ポートから出力される監視制御信号と、当該信号分配器から出力されるデータ信号を多重し、当該第１のネットワークに出力する多重装置
とを具備し、当該信号分配器は、当該第１のネットワークの正常運用時には、当該第１の監視制御信号入力ポートを当該第２の監視制御信号出力ポートに接続し、当該第２の監視制御信号入力ポートを当該第１の監視制御信号出力ポートに接続することを特徴とするノード。
【請求項１２】
当該第１及び第２のセレクタが互いに連動している請求項１０又は１１に記載のノード。
【請求項１３】
当該第１及び第２のセレクタがそれぞれ、ＩＰルータからなる請求項１０又は１１に記載のノード。
【請求項１４】
当該第１及び第２のセレクタがそれぞれ、スイッチングハブからなる請求項１０又は１１に記載のノード。
【請求項１５】
当該信号分配器が光クロスコネクト装置からなる請求項１０又は１１に記載のノード。
【請求項１６】
当該信号分配器が、光クロスコネクト装置と、当該光クロスコネクト装置の所定の入力ポートの入力光の有無を検査する入力検査装置と、当該光クロスコネクト装置の所定の出力ポートの出力光の有無を検査する出力検査装置とからなる請求項１０又は１１に記載のノード。
【発明の詳細な説明】
【０００１】
【発明の属する技術分野】
本発明は、データ伝送システム及びノードに関する。
【０００２】
【従来の技術】
大規模なネットワークでは、ネットワークに接続する各ノードを遠隔監視するシステムが不可欠である。
【０００３】
監視センターと各ノードとの間で監視信号、制御信号及びステータス信号（以下、監視制御信号と総称する。）を伝送する構成として、代表的には、本来のデータ信号を伝送するネットワーク（以下、信号ネットワークと略称する。）に監視制御信号を重畳する構成と、信号ネットワークとは別の外部ネットワークを用意し、その外部ネットワークで監視制御信号を伝送する構成とがある。監視制御ネットワークとして使用される外部ネットワークは、例えば、公衆回線網及び／又は専用回線網である。
【０００４】
例えば、１波長当たり１０Ｇｂ／ｓのＷＤＭ光信号を伝送する光ネットワークに対し、監視制御信号は、２Ｍｂｉｔ／ｓ又は１５５Ｍｂｉｔ／ｓである。
【０００５】
通常、各ノードは、他のノードとの間及び送受信端局との間で信号を転送するクロスコネクト装置又はアド・ドロップ装置と、監視制御信号を送受信する機能、及び、監視信号又は制御信号に従いクロスコネクト装置又はアド・ドロップ装置を制御する機能を具備する制御装置とを具備する。
【０００６】
特定のノードに装備される制御装置が監視センターとして機能する場合と、各ノードの制御装置とは別に監視センターを設ける場合とがある。後者の場合、監視センターを各ノードの制御装置に接続するケースと、監視センターを特定のノードの制御装置に接続し、その特定のノードの制御装置を介してその他のノードの制御装置との間で監視制御信号を送受信するケースとがありうる。
【０００７】
監視制御信号の役割は、主として、（１）各部署が発生する警報信号の監視と、警報信号を検出した場合の監視センターへの通報、（２）隣接ノード間の信号導通状態及び正常性の監視、（３）光パスのクロスコネクト制御（プロビジョニング）、及び（４）光パス障害時の救済（プロテクション／レストレーション）プロトコルに関するシグナリングの４つである。
【０００８】
【発明が解決しようとする課題】
監視制御ネットワークの障害は、本来の信号ネットワークの運用・保守に重大な影響をもたらす。従って、監視制御ネットワークに必要とされる障害耐力及び信頼性は、信号ネットワークのそれらと同程度以上である必要がある。
【０００９】
外部ネットワークを監視制御ネットワークとして利用する場合、監視制御ネットワークの信頼性は、使用する外部ネットワークの信頼性に依存する。また、監視制御信号は、使用する外部ネットワークの経路、経路制御、帯域及び輻輳状態に依存する。従って、遅延時間が長いだけでなく、不安定であり、迅速な監視・制御には不向きである。
【００１０】
他方、信号ネットワークを監視制御ネットワークに使用する場合、即ち、監視制御信号を信号ネットワークを使って伝送する場合、信号ネットワークの障害が、即ち、監視制御ネットワークの障害になる。複数のリンクで障害が発生すると、いくつかのノードが孤立する。その場合、孤立したノードを監視することも、制御することも不可能になる。通常、監視制御信号に１波長を割り当てることになるので、リソースを浪費することになる。
【００１１】
本発明は、高信頼性で経済的なデータ伝送システム及びノードを提示することを目的とする。
【００１２】
【課題を解決するための手段】
本発明に係るデータ伝送システムは、データ信号及び監視制御信号を光伝送する第１のネットワークと、当該第１のネットワークに接続する第１及び第２のノードと、当該監視制御信号を伝送可能な第２のネットワークとからなるデータ伝送システムである。特に、当該第１のノードが、当該第１のネットワークから入力する信号光からデータ信号と監視制御信号を分離する分離装置と、複数の入力ポート及び複数の出力ポートを具備する信号分配器であって、当該分離装置により分離されたデータ信号を指定の出力ポートに分配する信号分配器と、当該信号分配器を制御し、当該第１のノード内の各部を監視する制御装置と、当該分離装置により分離された監視制御信号及び当該第２のネットワークから入力する監視制御信号の一方を選択して、当該制御装置に供給する第１のセレクタと、当該制御装置から当該第２のノードに向けて出力される監視制御信号を、当該第１のネットワーク及び当該第２のネットワークの一方に向けて出力する第２のセレクタと、当該第２のセレクタにより当該第１のネットワークに向けて出力された監視制御信号と、当該信号分配器から出力されるデータ信号を多重し、当該第１のネットワークに出力する多重装置とを具備することを特徴とする。
【００１３】
このような構成により、通常時には信号ネットワーク（第１のネットワーク）で監視制御信号を伝送しつつ、信号ネットワークの障害時に外部ネットワーク（第２のネットワーク）で監視制御信号を伝送するので、データ信号に対する信頼性以上の信頼性を確保できる。監視制御信号の伝送遅延も最小限となる。また、外部ネットワークの信頼性を信号ネットワーク程度に高める必要が無いので、低コストで信号ネットワークを監視・制御できる。
【００１４】
本発明に係るデータ伝送システムは、データ信号及び監視制御信号を光伝送する第１のネットワークと、当該第１のネットワークに接続する第１及び第２のノードと、当該第１のノードとの間でデータを送受信する第１のデータ送受信端局と、当該第２のノードとの間でデータを送受信する第２のデータ送受信端局と、当該監視制御信号を伝送可能な第２のネットワークとからなるデータ伝送システムである。特に、当該第１のノードが、当該第１のネットワークから入力する信号光からデータ信号と監視制御信号を分離する分離装置と、第１及び第２の監視制御信号入力ポートを含む複数の入力ポート、並びに第１及び第２の監視制御信号出力ポートを含む複数の出力ポートを具備する信号分配器であって、当該分離装置により分離されたデータ信号及び監視制御信号をそれぞれ指定の出力ポートに分配する信号分配器と、当該信号分配器を制御し、当該第１のノード内の各部を監視する制御装置と、当該信号分配器の当該第１の監視制御信号出力ポートから出力される監視制御信号及び当該第２のネットワークから入力する監視制御信号の一方を選択して、当該制御装置に供給する第１のセレクタと、当該制御装置から当該第２のノードに向けて出力される監視制御信号を、当該信号分配器の第１の監視制御信号入力ポート及び当該第２のネットワークの一方に向けて出力する第２のセレクタと、当該信号分配器の当該第２の監視制御信号出力ポートから出力される監視制御信号と、当該信号分配器から出力されるデータ信号を多重し、当該第１のネットワークに出力する多重装置とを具備し、当該信号分配器は、当該第１のネットワークの正常運用時には、当該第１の監視制御信号入力ポートを当該第２の監視制御信号出力ポートに接続し、当該第２の監視制御信号入力ポートを当該第１の監視制御信号出力ポートに接続することを特徴とする。
【００１５】
このような構成により、通常時には信号ネットワーク（第１のネットワーク）で監視制御信号を伝送しつつ、信号ネットワークの障害時に外部ネットワーク（第２のネットワーク）で監視制御信号を伝送するので、データ信号に対する信頼性以上の信頼性を確保できる。監視制御信号の伝送遅延も最小限となる。また、外部ネットワークの信頼性を信号ネットワーク程度に高める必要が無いので、低コストで信号ネットワークを監視・制御できる。更には、監視制御信号を信号分配装置で分配できるので、信号ネットワークのチャネルの変更も容易であり、かつまた、ループバックによる導通確認が可能になり、障害部分の切り分けも容易になる。
【００１８】
本発明に係るノードは、データ信号及び監視制御信号を光伝送する第１のネットワークと、当該監視制御信号を伝送可能な第２のネットワークとに接続するノードである。当該ノードは、当該第１のネットワークから入力する信号光からデータ信号と監視制御信号を分離する分離装置と、複数の入力ポート及び複数の出力ポートを具備する信号分配器であって、当該分離装置により分離されたデータ信号を指定の出力ポートに分配する信号分配器と、当該信号分配器を制御し、各部を監視する制御装置と、当該分離装置により分離された監視制御信号及び当該第２のネットワークから入力する監視制御信号の一方を選択して、当該制御装置に供給する第１のセレクタと、当該制御装置から他のノードに向けて出力される監視制御信号を、当該第１のネットワーク及び当該第２のネットワークの一方に向けて出力する第２のセレクタと、当該第２のセレクタにより当該第１のネットワークに向けて出力された監視制御信号と、当該信号分配器から出力されるデータ信号を多重し、当該第１のネットワークに出力する多重装置とを具備することを特徴とする。
【００１９】
このような構成により、監視制御信号の伝送経路として、信号ネットワーク（第１のネットワーク）と外部ネットワーク（第２のネットワーク）を低コストで切り替えることができる。通常時には信号ネットワーク（第１のネットワーク）で監視制御信号を伝送しつつ、信号ネットワークの障害時に外部ネットワーク（第２のネットワーク）で監視制御信号を伝送するので、データ信号に対する信頼性以上の信頼性を確保できる。監視制御信号の伝送遅延も最小限となる。また、外部ネットワークの信頼性を信号ネットワーク程度に高める必要が無いので、低コストで信号ネットワークを監視・制御できる。
【００２０】
本発明に係るノードは、データ信号及び監視制御信号を光伝送する第１のネットワークと、当該監視制御信号を伝送可能な第２のネットワークとに接続するノードである。当該ノードは、当該第１のネットワークから入力する信号光からデータ信号と監視制御信号を分離する分離装置と、第１及び第２の監視制御信号入力ポートを含む複数の入力ポート、並びに第１及び第２の監視制御信号出力ポートを含む複数の出力ポートを具備する信号分配器であって、当該分離装置により分離されたデータ信号及び監視制御信号をそれぞれ指定の出力ポートに分配する信号分配器と、当該信号分配器を制御し、各部を監視する制御装置と、当該信号分配器の当該第１の監視制御信号出力ポートから出力される監視制御信号及び当該第２のネットワークから入力する監視制御信号の一方を選択して、当該制御装置に供給する第１のセレクタと、当該制御装置から他のノードに向けて出力される監視制御信号を、当該信号分配器の第１の監視制御信号入力ポート及び当該第２のネットワークの一方に向けて出力する第２のセレクタと、当該信号分配器の当該第２の監視制御信号出力ポートから出力される監視制御信号と、当該信号分配器から出力されるデータ信号を多重し、当該第１のネットワークに出力する多重装置とを具備し、当該信号分配器は、当該第１のネットワークの正常運用時には、当該第１の監視制御信号入力ポートを当該第２の監視制御信号出力ポートに接続し、当該第２の監視制御信号入力ポートを当該第１の監視制御信号出力ポートに接続することを特徴とする。
【００２１】
このような構成により、監視制御信号の伝送経路として、信号ネットワーク（第１のネットワーク）と外部ネットワーク（第２のネットワーク）を低コストで切り替えることができる。通常時には信号ネットワーク（第１のネットワーク）で監視制御信号を伝送しつつ、信号ネットワークの障害時に外部ネットワーク（第２のネットワーク）で監視制御信号を伝送するので、データ信号に対する信頼性以上の信頼性を確保できる。監視制御信号の伝送遅延も最小限となる。また、外部ネットワークの信頼性を信号ネットワーク程度に高める必要が無いので、低コストで信号ネットワークを監視・制御できる。更には、監視制御信号を信号分配装置で分配できるので、信号ネットワークのチャネルの変更も容易であり、かつまた、ループバックによる導通確認が可能になり、障害部分の切り分けも容易になる。
【００２２】
【実施例】
以下、図面を参照して、本発明の実施例を詳細に説明する。
【００２３】
図１は、本発明の一実施例の概略構成ブロック図を示し、図２は、本実施例のネットワーク構成例を示す。図１で、矢印付きの実線は光信号を示し、矢印付きの波線は電気信号を示す。ここでは、リング又はメッシュ状の光ネットワーク上で、ノードＡ，Ｂ，Ｃがこの順に接続しているとする。即ち、ノードＡは、光ファイバ１０，１２を介してノードＢと接続し、ノードＢは更に、光ファイバ１４，１６を介してノードＣと接続する。光ファイバ１０，１２，１４，１６は信号ネットワークの光伝送路を構成する。ノードＡ，Ｂ，Ｃは何れも、信号ネットワークの障害時に監視制御信号を伝送する予備の監視制御ネットワークとしての外部ネットワーク１８に接続する。ノードＡ，Ｃはそれぞれ、１対の光ファイバを介して別のノードに接続するが、図１では、省略してある。信号ネットワークは、メッシュ状、リング状及びライン状の何れでもあってもよいが、通常は、メッシュ状又はリング状である。
【００２４】
ノードＡ，Ｂ，Ｃにはそれぞれ、データ送受信端局１９Ａ，１９Ｂ，１９Ｃが接続する。各ノードＡ，Ｂ，Ｃは、隣接する２方向のノードとの間でデータを送受信するので、データ送受信端局１９Ａ，１９Ｂ，１９Ｃと対応するノードＡ，Ｂ，Ｃとの間には、４つの信号線が用意される。
【００２５】
ノードＢの内部構成と動作を説明する。ノードＢは、主要な要素として、光クロスコネクト装置２０、及び、光クロスコネクト装置２０を制御する制御装置２２、波長分離装置（ＤＭＵＸ）２４，２６、及び、波長多重装置（ＭＵＸ）２８，３０を具備する。
【００２６】
波長分離装置２４は、ノードＡから出力され光ファイバ１０を介して入力するＷＤＭ信号光を各波長に分離する。波長分離装置２６は、ノードＣから出力され光ファイバ１６を介して入力するＷＤＭ信号光を各波長に分離する。本実施例では、監視制御信号の伝送用に１波長が割り当てられている。波長分離装置２４，２６で分離されたデータ信号光は対応するトランスポンダ３２に印加され、波長分離装置２４で分離された監視信号光は光電変換器３４に印加され、波長分離装置２６で分離された監視信号光は光電変換器３６に印加される。
【００２７】
トランスポンダ３２は、入力信号光を別の波長（例えば、１．３μｍ帯）の信号光に変換して、光クロスコネクト装置２０に印加する。トランスポンダ３２は、入力信号光を一旦、電気信号に変換する光電変換器と、その電気信号を再度、光に変換する電気／光変換器を具備する。トランスポンダ３２は更に、信号波形の整形、その他の処理を行う電気信号処理回路を具備しても良い。
【００２８】
光クロスコネクト装置２０の各出力光は、トランスポンダ３２と同様の機能の対応するトランスポンダ３８に入力する。各トランスポンダ３８は、入力信号光を別波長の信号光に変換し、波長多重装置２８，３０に印加する。
【００２９】
勿論、光クロスコネクト装置２０は、アドポート及びドロップポートでデータ送受信端局１９Ｂと接続する。
【００３０】
光クロスコネクト装置２０の各入力には、入力光の有無を監視できるように、フォトダイオード４０を配置してあり、光クロスコネクト装置２０の各出力には、出力光の有無を監視できるように、フォトダイオード４２を配置してある。即ち、各トランスポンダ３２の出力光の一部が、対応するフォトダイオード４０に入力し、光クロスコネクト装置２０の各出力光の一部が、対応するフォトダイオード４２に入力する。各フォトダイオード４０，４２の出力は、制御回路２２に印加される。これにより、制御装置２２は、光クロスコネクト装置２０の各入力ポートへの信号光入力の有無及び各出力ポートの信号光出力の有無を監視できる。
【００３１】
セレクタ４４は、光電変換器３４，３６から出力される監視制御信号及び外部ネットワーク１８からの監視制御信号の何れかを選択して制御装置２２に印加する。セレクタ４６は、制御装置２２が他のノードに向けて出力する監視制御信号を外部ネットワーク１８及び電気／光変換器４８，５０の何れかに供給する。セレクタ４４，４６は、実際には連動している。即ち、セレクタ４４が、外部ネットワーク１８を選択するとき、セレクタ４６も外部ネットワーク１８を選択する。セレクタ４４が光電変換器３４の出力を選択するとき、セレクタ４６は電気／光変換器４８を選択する。セレクタ４４が光電変換器３６の出力を選択するとき、セレクタ４６は電気／光変換器５０を選択する。
【００３２】
セレクタ４４，４６は制御装置２２により制御されるスイッチでもよい。また、セレクタ４４が、信号入力に応じて入力ポートを切り替えるスイッチであり、セレクタ４６が、セレクタ４４の接続状態に応じて、対応する接続状態に切り替わるタイプのスイッチであってもよい。監視制御信号がＩＰベースの信号である場合、セレクタ４４，４６としてルータを利用できる。監視制御信号が経路毎に異なる仮想ＬＡＮ（いわゆる、ＶＬＡＮ）識別子を付与されている場合、セレクタ４４，４６として、ＶＬＡＮに対応するスイッチングハブを使用できる。ルータの場合、及びスイッチングハブの場合の動作の詳細は、後述する。
【００３３】
波長多重装置２８は、電気／光変換器４８の出力信号光（ノードＡ向けの監視制御信号光）と、トランスポンダ３８の出力光の内のノードＡ向けの信号光を多重し、光ファイバ１２を介してノードＡに出力する。また、波長多重装置３０は、電気／光変換器５０の出力信号光（ノードＣ向けの監視制御信号光）と、トランスポンダ３８の出力光の内のノードＣ向けの信号光を多重し、光ファイバ１４を介してノードＣに出力する。
【００３４】
なお、制御装置２２は、セレクタ４４からの監視制御信号及び各フォトダイオード４０，４２の出力に従い、光クロスコネクト装置２０の、プロテクション／レストレーション等）のための切り替えを制御する。制御装置２２はまた、フォトダイオード４０，４２の出力及び光クロスコネクト装置２０の接続状態又は切り替え動作を含む各部の監視結果を監視制御信号に載せて管理者に通知する。
【００３５】
ノードＡ，Ｃの内部構成も、基本的にノードＡの内部構成と同じである。
【００３６】
本実施例でのデータ信号の伝送形態は、既存のメッシュ型又はリング型のものと同じである。ノードＡ，Ｂ，Ｃ間のデータ信号の流れを簡単に説明する。
【００３７】
ノードＡは、ノードＢ，Ｃ又はその先のノードに向けたデータ信号光（ＷＤＭ信号光）を光ファイバ１０に出力し、そのデータ信号光は、光ファイバ１０を伝搬して、ノードＢの波長分離装置２４に入力する。また、ノードＣは、ノードＢ，Ａ又はその先のノードに向けたデータ信号光（ＷＤＭ信号光）を光ファイバ１６に出力し、そのデータ信号光は、光ファイバ１６を伝搬して、ノードＢの波長分離装置２６に入力する。
【００３８】
波長分離装置２４は、光ファイバ１０から入力するＷＤＭ信号光を各波長に分離し、波長分離装置２６は、光ファイバ１６から入力するＷＤＭ信号光を各波長に分離する。波長分離装置２４，２６で分離されたデータ信号光は、対応するトランスポンダ３２を介して、光クロスコネクト装置２０の対応する入力ポートに入力する。
【００３９】
光クロスコネクト装置２０は、入力データ信号光の内、データ送受信端局１９Ｂに向けた信号光をドロップし、ドロップポートからデータ送受信端局１９Ｂに供給する。光クロスコネクト装置２０はまた、その他の入力データ信号光及びデータ送受信端局１９Ｂから出力されアドポートに入力するデータ信号光を、制御装置２２により指定される出力ポートからトランスポンダ３８を介して波長多重装置２８，３０に印加する。制御装置２２は、光クロスコネクト装置２がどのデータ信号光をどの出力ポートから出力するかを制御する。
【００４０】
波長多重装置２８は入力データ信号光を多重し、波長多重装置２８から出力されるＷＤＭ信号光は、光ファイバ１２を介してノードＡに入力する。また、波長多重装置３０は入力データ信号光を多重し、波長多重装置３０から出力されるＷＤＭ信号光は、光ファイバ１４を介してノードＣに入力する。
【００４１】
次に、監視制御信号の伝送形態を説明する。本実施例では、通常の運用状態では、監視制御信号は、データ信号と同じ光ネットワーク、即ち、光ファイバ１０，１２，１４，１６を伝送する。
【００４２】
ここで、例えば、光ファイバ１０が断線し、ノードＡ，Ｂ間のデータ通信が不可能になったとする。この場合、ノードＡからノードＢへ向けた監視制御信号が、制御装置２２に入力しなくなると共に、波長分離装置２４の各出力光の光パワーを監視する全フォトダイオード４０の出力レベルが低下する。これらにより、制御装置２２は、光ファイバ１０での障害発生を検出できる。光ファイバ１０の障害検出に応じて、制御装置２２は、ノードＡ向けの監視制御信号が外部ネットワーク１８を経由してノードＡに転送されるように、セレクタ４４，４６を制御する。即ち、セレクタ４６は、制御装置２２から出力されるノードＡ向けの監視制御信号を外部ネットワーク１８に出力する。外部ネットワーク１８は、その監視制御信号をノードＡに転送する。ノードＢ発の監視制御信号が外部ネットワーク１８から入力するのに応じて、ノードＡは、ノードＢ向けの監視制御信号を外部ネットワーク１８を介してノードＢに送信する。ノードＢのセレクタ４４は、ノードＡから外部ネットワーク１８を介して入力する監視制御信号を制御装置２２に転送する。
【００４３】
ノードＢ，Ｃ間の光ファイバ１４，１６は正常であり、セレクタ４４，４６は、ノードＢ，Ｃ間の監視制御信号の転送に関しては、光ファイバ１０の障害に関わらず、光ファイバ１４，１６を使用する。
【００４４】
ノード間を説明する１対の光ファイバの内の一方に伝送障害が発生した場合、監視制御信号が残る光ファイバを伝送するようにセレクタ４４，４６を個別に制御しても良い。その場合、制御装置２２は、セレクタ４４，４６を細かく制御する必要があり、制御装置２２の負担が増す。セレクタ４４，４６のように互いに連動するスイッチ装置は１つのユニットとして安価且つ容易に入手できるので、システムコストの低減には、セレクタ４４，４６を単純に連動させるのが有利である。
【００４５】
上述のように、セレクタ４４，４６としては、例えば、ＩＰルータ、又は、イーサネット(登録商標)のスイッチングハブを利用できる。
【００４６】
セレクタ４４及び同４６としてＩＰルータを使用する場合、信号ネットワークの障害に有無に応じて、制御装置２２が、セレクタ４６のルーティングテーブルを書き換える。セレクタ４４は単に入力信号を制御装置２２に転送する機能を具備すれば良いが、一般的には、上述のように、セレクタ４４，４６からなる部分を１つのＩＰルータで置き換えることになる。
【００４７】
外部ネットワーク１８と、光ファイバ１０〜１６を有する内部ネットワークのそれぞれに監視制御信号の固定パス（例えば、ＭＰＬＳによるラベルスイッチパスＬＳＰ）を構築し、各パス間に１：１の冗長関係を設定すると、障害時にも高速なプロテクションが可能になる。但し、そのためには、外部ネットワーク１８内の全ルータがＭＰＬＳ機能を有していなければならない。
【００４８】
ＶＬＡＮ（仮想ＬＡＮ）を使用して、外部ネットワーク１８と、光ファイバ１０〜１６を有する内部ネットワークとを区別し、内部ネットワークの障害の有無に応じて監視制御信号の経路を切り替えてもよい。この場合には、セレクタ４４及び同４６としてスイッチングハブを使用する。制御装置２２が、監視制御信号に経路毎に異なるＶＬＡＮタグを付加してセレクタ４６（スイッチングハブ）に出力する。セレクタ４６は、この場合、ＶＬＡＮタグを除いた監視制御信号を電気／光変換器４８，５０又は外部ネットワーク１８に出力する。ブロードキャスト信号による帯域の浪費をＶＬＡＮにより回避できる。
【００４９】
図１では、省略してあるが、光電変換器３４，３６の入力信号光の有無を検出するフォトダイオード、及び、電気／光変換器４８，５０の出力信号光の有無を検出するフォトダイオードを配置し、それらの出力を制御装置２２に供給するようにしてもよい。これにより、制御装置２２は、信号ネットワークを経由する監視制御信号光のルートの障害の有無を監視できる。
【００５０】
図３は、ノードＢの変更構成例を示す。図３に示す構成では、監視制御信号が光クロスコネクト装置を通るようにした。これにより、内部光ネットワークの予備波長を監視制御信号の伝送に用いることが可能になる。また、監視制御信号をループバックさせて監視制御信号の導通を確認できるようになる。
【００５１】
制御装置１２２は、光クロスコネクト装置１２０を制御し、各部を監視し、監視制御信号を他のノード又は監視センターに通知する。
【００５２】
波長分離装置１２４は、ノードＡから出力され光ファイバ１０を介して入力するＷＤＭ信号光を各波長に分離する。波長分離装置１２６は、ノードＣから出力され光ファイバ１６を介して入力するＷＤＭ信号光を各波長に分離する。図３に示す実施例でも、監視制御信号の伝送用に１波長が割り当てられている。波長分離装置１２４，１２６で分離されたデータ信号光は、対応するトランスポンダ１３２を介して光クロスコネクト装置１２０の入力ポート＃５〜＃ｍに入力する。波長分離装置１２４，１２６で分離された監視信号光は、そのまま、光クロスコネクト装置１２０の入力ポート＃３，＃４に入力する。トランスポンダ１３２の構成及び機能は、トランスポンダ３２と同じである。
【００５３】
光クロスコネクト装置１２０は、制御装置１２２に向けて転送されるべき監視制御信号を出力する２つの出力ポート＃１，＃２と、ノードＡ，Ｃに向けた監視制御信号光を出力する２つの出力ポート＃３，＃４と、ノードＡ，Ｃに向けたデータ信号光を出力する複数の出力ポート＃５〜＃ｍを具備する。出力ポート＃３は、直接、波長多重装置１２８に接続し、出力ポート＃４は、直接、波長多重装置１３０に接続する。出力ポート＃５〜＃ｍは、トランスポンダ３８と同様の機能の対応するトランスポンダ１３８を介して波長多重装置１２８又は同１３０に接続する。
【００５４】
勿論、光クロスコネクト装置１２０は、アドポート及びドロップポートでデータ送受信端局１９Ｂと接続する。
【００５５】
光クロスコネクト装置１２０の２つの出力ポート＃１，＃２及び２つの入力ポート＃１，＃２は、制御装置１２２との間の転送に使用される。光クロスコネクト装置１２０の２つの出力ポート＃１，＃２にはそれぞれ、光電変換器１３４，１３６が接続し、光クロスコネクト装置１２０の２つの入力ポート＃１，＃２にはそれぞれ電気／光変換器１４８，１５０の出力光が入力する。
【００５６】
電気／光変換器１４８，１５０の出力光が入力する２つの入力ポート＃１，＃２を除いて、光クロスコネクト装置１２０の各入力ポート＃３〜＃ｍには、入力光の有無を監視できるように、フォトダイオード１４０を配置してある。また、光電変換器１３４，１３６が接続する２つの出力ポート＃１，＃２を除いて、光クロスコネクト装置１２０の各出力ポート＃３〜＃ｍには、出力光の有無を監視できるように、フォトダイオード１４２を配置してある。電気／光変換器１４８，１５０の出力光及び光電変換器１３４，１３６の入力光を監視しないのは、単に、費用を節減するためであるのと、必要性が低いからであり、汎用性を重視する場合には、これらの接続する光クロスコネクト装置１２０の入力ポート＃１，＃２及び出力ポート＃１，＃２にも、フォトダイオード１４０，１４２を配置しても良い。
【００５７】
フォトダイオード１４０が、波長分離装置１２４，１２６から光クロスコネクト装置１２０に入力する監視制御信号光の有無、及び、トランスポンダ１３２から出力される光クロスコネクト装置１２０に入力するデータ信号光の有無を監視し、フォトダイオード１４２が、光クロスコネクト装置１２０から出力されノードＡ，Ｃに向かうデータ信号光及び監視制御信号光の有無を監視する。各フォトダイオード１４０，１４２の出力は、制御回路１２２に印加される。これにより、制御装置１２２は、光クロスコネクト装置２０に入出力するデータ信号光及び監視信号光の有無を監視できる。
【００５８】
セレクタ１４４は、光電変換器１３４，１３６から出力される監視制御信号及び外部ネットワーク１８からの監視制御信号の何れかを選択して制御装置１２２に印加する。セレクタ１４６は、制御装置１２２が他のノードに向けて出力する監視制御信号を外部ネットワーク１８及び電気／光変換器１４８，１５０の何れかに供給する。セレクタ１４４，１４６は、実際には連動している。即ち、セレクタ１４４が、外部ネットワーク１８を選択するとき、セレクタ１４６も外部ネットワーク１８を選択する。セレクタ１４４が光電変換器１３４の出力を選択するとき、セレクタ１４６は電気／光変換器１４８を選択する。セレクタ１４４が光電変換器１３６の出力を選択するとき、セレクタ１４６は電気／光変換器１５０を選択する。セレクタ１４４，１４６の機能は、セレクタ４４，４６と同じで良い。即ち、セレクタ１４４，１４６としては、セレクタ４４，４６の場合と同様に、ＩＰルータ及びスイッチングハブなどの種々のスイッチ装置を使用できる。
【００５９】
波長多重装置１２８は、光クロスコネクト装置１２０の出力ポート＃３から出力されるノードＡ向けの監視制御信号光と、トランスポンダ１３８の出力光の内のノードＡ向けのデータ信号光を多重し、光ファイバ１２を介してノードＡに出力する。また、波長多重装置１３０は、光クロスコネクト装置１２０の出力ポート＃４から出力されるノードＣ向けの監視制御信号光と、トランスポンダ１３８の出力光の内のノードＣ向けのデータ信号光を多重し、光ファイバ１４を介してノードＣに出力する。
【００６０】
なお、制御装置１２２の基本的な機能は、制御装置２２の機能とほとんど同じであるが、監視制御信号の転送に光クロスコネクト装置１２０を使用するので、制御装置１２２には、そのための機能が追加されている。
【００６１】
データ信号光の伝送は、図１に示す実施例と同じである。また、監視制御信号の内部／外部ネットワークの切り替えも、図１に示す実施例と基本的に同じである。図３に示す実施例の特徴的な機能である、監視制御信号の接続確認を説明する。
【００６２】
図４は、通常運用時、即ち、データ信号光を伝送する内部ネットワーク上を監視制御信号が伝送しているときの、光クロスコネクト装置の内部接続を示す。理解を容易にするため、監視制御信号の接続パスのみを図示してある。図４から分かるように、通常運用時には、制御装置１２２は、光クロスコネクト装置１２０の入力ポート＃１を出力ポート＃３に接続し、入力ポート＃２を出力ポート＃４に接続し、入力ポート＃３を出力ポート＃１に接続し、入力ポート＃４を出力ポート＃２に接続する。
【００６３】
図４に示す内部接続状態では、ノードＡから出力される監視制御信号は、光ファイバ１０、波長分離装置１２４、光クロスコネクト装置１２０の入力ポート＃３及び出力ポート＃１、光電変換器１３４並びにセレクタ１４４を介して、制御装置１２２に入力する。同様に、ノードＣから出力される監視制御信号は、光ファイバ１６、波長分離装置１２６、光クロスコネクト装置２０の入力ポート＃４及び出力ポート＃２、光電変換器１３６並びにセレクタ１４４を介して、制御装置１２２に入力する。
【００６４】
制御装置１２２が出力するノードＡ向けの監視制御信号は、セレクタ１４６、電気／光変換器１４８、光クロスコネクト装置１２０の入力ポート＃１及び出力ポート＃３、波長多重装置１２８、並びに光ファイバ１２を介してノードＡに入力する。同様に、制御装置１２２が出力するノードＣ向けの監視制御信号は、セレクタ１４６、電気／光変換器１５０、光クロスコネクト装置１２０の入力ポート＃２及び出力ポート＃４、波長多重装置１３０、並びに光ファイバ１４を介してノードＣに入力する。
【００６５】
信号ネットワークの障害に対し、監視制御信号を外部ネットワーク１８で転送できることは、図１に示す実施例と同じである。本実施例では更に、光ファイバ１０〜１６の障害でなく、発光素子及び受光素子等のデバイスの障害である場合、監視制御信号を、光ファイバ１０〜１６上の別のチャネルで伝送させることができる。これが、監視制御信号を光クロスコネクト装置１２０に入力することのメリットである。即ち、監視制御信号に関しても、光クロスコネクト装置１２０による高速のプロテクション／レストレーションを利用でき、監視制御信号に関して予備帯域を事前に確保できる。
【００６６】
図５は、ループバックによる導通確認の際の、光クロスコネクト装置１２０の内部接続を示す。ループバックによる導通確認の際には、図５に示すように、制御装置１２２は、光クロスコネクト装置１２０の入力ポート＃１を出力ポート＃１に接続し、入力ポート＃２を出力ポート＃２に接続する。入力ポート＃３を出力ポート＃３に接続し、入力ポート＃４を出力ポート＃４に接続する。
【００６７】
図５に示す内部接続状態では、電気／光変換器１４８の出力信号が、光クロスコネクト装置１２０の入力ポート＃１及び出力ポート＃１、光電変換器１３４並びにセレクタ１４４を介して制御装置１２２に入力する。また、電気／光変換器１５０の出力信号が、光クロスコネクト装置１２０の入力ポート＃２及び出力ポート＃２、光電変換器１３６並びにセレクタ１４４を介して制御装置１２２に入力する。これにより、制御装置１２２は、光電変換器１３４，１３６、セレクタ１４４，１４６及び電気／光変換器１４８，１５０が正常に動作するかどうか、及びこれらの接続路の不具合を検査できる。
【００６８】
また、図５に示すように、入力ポート＃３を出力ポート＃３に接続し、入力ポート＃４を出力ポート＃４に接続することより、ノードＡからの監視制御信号をそのままノードＣに転送し、ノードＣからの監視制御信号をノードＡにそのまま転送できる。これにより、ノードＢの制御装置１２２を迂回して、ノードＡ，Ｃ間で監視制御信号を転送できる。これは、接続の確認及び障害箇所の探索に利用できる。
【００６９】
図３に示す実施例では、監視制御信号を光クロスコネクト装置１２０により所望の光パス及び波長チャネルに分配できるので、例えば、光ファイバ１０，１２，１４，１６上でのチャネル(光キャリア波長)を変更することも容易になる。即ち、監視制御信号に関しても、光クロスコネクト装置１２０による高速のプロテクション／レストレーションを利用できる。換言すると、監視制御信号に関して予備帯域を事前に確保できる。
【００７０】
本発明は、リニア型ネットワークの終端に位置するノードにも適用可能である。その場合、例えば、図１及び図３に示すノードＢの構成で、ノードＣに対応する構成要素を省略すれば良い。
【００７１】
【発明の効果】
以上の説明から容易に理解できるように、本発明によれば、監視制御信号をデータ信号光と同程度以上の信頼性で伝送できる。通常時には、データ信号光と同じ光ネットワークを伝送するので伝送遅延が少なく、且つ、遅延時間も安定している。信号ネットワークの障害時には外部ネットワークで監視制御信号を伝送できるので、データ信号光よりも高い信頼性が得られる。
【図面の簡単な説明】
【図１】  本発明の一実施例の概略構成図である。
【図２】  本実施例のネットワーク構成の一例である。
【図３】  ノードＢの別の構成例である。
【図４】  通常運用時の光クロスコネクト装置１２０の内部接続を示す図である。
【図５】  ループバック試験時の光クロスコネクト装置１２０の内部接続を示す図である。
【符号の説明】
Ａ〜Ｈ：ノード
１０，１２，１４，１６：光ファイバ
１８：外部ネットワーク
１９Ａ，１９Ｂ，１９Ｃ：データ送受信端局
２０：光クロスコネクト装置
２２：制御装置
２４，２６：波長分離装置（ＤＭＵＸ）
２８，３０：波長多重装置（ＭＵＸ）
３２：トランスポンダ
３４，３６：光電変換器
３８：トランスポンダ
４０，４２：フォトダイオード
４４，４６：セレクタ
４８，５０：電気／光変換器
１２０：光クロスコネクト装置
１２２：制御装置
１２４，１２６：波長分離装置（ＤＭＵＸ）
１２８，１３０：波長多重装置（ＭＵＸ）
１３２：トランスポンダ
１３４，１３６：光電変換器
１３８：トランスポンダ
１４０，１４２：フォトダイオード
１４４，１４６：セレクタ
１４８，１５０：電気／光変換器
【図１】
0003925272.tif 000002
【図２】
0003925272.tif 000003
【図３】
0003925272.tif 000004
【図４】
0003925272.tif 000005
【図５】
0003925272.tif 000006